(57)【要約】      （修正有）【課題】階段において使用される物品搬送機において、平面移動が自在に行われるようにすることを目的とする。【解決手段】略垂直方向に配置され、下部の両端近傍それぞれに前後方向移動用の第１のキャスター３それぞれを備えるベース体２と、ベース体２の上部に設けられる移動用操作部５と、ベース体２の下部に前方に突出するように設けられ、下面の４角近傍それぞれに全周方向に移動可能であるとともに、それらの水平使用時接地面位置が第１のキャスター３それぞれの水平使用時接地面位置より低くなるように取り付けられた第２のキャスター７を備える物品載置台９と、ベース体２の後部にその下端を第１のキャスター３に近接して配置される階段移動用ベルト体１１と、階段移動用ベルト体１１の駆動用の電源モータ及びその電源となる電池６０とを備える。【選択図】図２
0003222277.tif 000002
【実用新案登録請求の範囲】
【請求項１】
略垂直方向に配置され、下部の両端近傍それぞれに前後方向移動用の第１のキャスターそれぞれを備えるベース体と、
前記ベース体の上部に設けられる移動用操作部と、
前記ベース体の下部に前方に突出するように設けられ、下面の４角近傍それぞれに全周方向に移動可能であるとともに、それらの水平使用時接地面位置が前記第１のキャスターそれぞれの水平使用時接地面位置より低くなるように取り付けられた第２のキャスターを備える物品載置台と、
前記ベース体の後部に、その下端を前記第１のキャスターに近接して配置される階段移動用ベルト体と、
前記階段移動用ベルト体の駆動部と、
を備えることを特徴とする物品搬送機。
【請求項２】
コピー機搬送用である請求項１記載の物品搬送機。
【考案の詳細な説明】
【技術分野】
【０００１】  この考案は、階段において使用される物品搬送機に関する。
【背景技術】
【０００２】  階段のある建物では物品の搬送に非常に手間がかかり、最近ではモータにより駆動される階段移動用ベルト体を備える物品搬送機が提供されている。
【考案の概要】
【考案が解決しようとする課題】
【０００３】  この考案は、階段において使用される物品搬送機において、平面移動が自在に行われるようにすることを目的とする。
【課題を解決するための手段】
【０００４】  この考案では、略垂直方向に配置され、下部の両端近傍それぞれに前後方向移動用の第１のキャスターそれぞれを備えるベース体と、ベース体の上部に設けられる移動用操作部と、ベース体の下部に前方に突出するように設けられ、下面の４角近傍それぞれに全周方向に移動可能であるとともに、それらの水平使用時接地面位置が第１のキャスターそれぞれの水平使用時接地面位置より低くなるように取り付けられた第２のキャスターを備える物品載置台と、ベース体の後部に、その下端を第１のキャスターに近接して配置される階段移動用ベルト体と、階段移動用ベルト体の駆動部を備える物品搬送機を提供する。【０００５】  上記構成によれば、物品搬送機は、水平使用時には第２のキャスターそれぞれの設置面位置が第１のキャスターそれぞれの設置面位置より低く設定されていることで、第２のキャスターのみが接地して第１のキャスターは浮き状態となり、第２のキャスターが全周方向に移動が可能であることで、物品搬送機は全ての方向への移動が自在に行われ、狭いスペース等における移動が支障なく容易に行われる。【０００６】  この考案の物品搬送機は、コピー機搬送用等として好適に用いられる。
【考案の効果】
【０００７】  この考案の物品搬送機は、階段移動が可能であるとともに平面移動が自在に行われ、便利に用いられる。
【図面の簡単な説明】
【０００８】
【図１】  この考案の物品搬送機の前面側斜視図
【図２】  この考案の物品搬送機の側面図
【図３】  この考案の物品搬送機の折り畳み時の底面側斜視図
【図４】  この考案の物品搬送機の使用説明図
【図５】  この考案の物品搬送機の使用説明図
【図６】  この考案の物品搬送機の要部説明図
【図７】  この考案の物品搬送機の要部説明図
【図８】  この考案の物品搬送機の使用説明図
【考案の実施形態】
【０００９】  図１はこの考案の物品搬送機の前面側斜視図、図２は同側面図、図３は同折り畳み時の底面側斜視図である。物品搬送機１は、方形枠状で垂直方向に配置され下部の両端に第１のキャスター３それぞれを備えるベース体２と、ベース体２の上部に設けられるアーチ状の階段移動用操作部５と、ベース体２の下部に前方に突出して回動可能に軸支されて設けられ、下面の４角の近傍それぞれに第２のキャスター７を備える物品載置台９と、下部がベース体２の後下部に軸支されて取り付けられ上部が後方に傾斜して設けられる一対の階段移動用ベルト体１１と、階段移動用ベルト体１１の駆動用の電動モータ１３及びその電源となる電池６０とを備えて構成されている。
【００１０】  物品搬送機１は、図２に示すように、第２のキャスター７それぞれが接地する状態において水平移動されて、平面における物品の搬送が行われる（水平使用）。第１のキャスター３は大径で前後方向へのみの移動が可能なように取り付け部材４に固定取付けされている。第２キャスター７の前側の２個は中径、後ろ側の２個は小径で、それぞれは全周方向に移動が可能なように物品載置台９の下枠に回転可能に軸支持されて取り付けられている。第２のキャスター７それぞれの設置面位置Ｌ１は第１のキャスター３それぞれの設置面位置Ｌ２より低く設定され、したがって第２のキャスター７のみが接地して第１のキャスター３は浮き状態となる。この状態においては、第２のキャスター７が全周方向に移動が可能であることで、物品搬送機１は全ての方向への移動が自在に行われる。これにより狭いスペースにおける移動が支障なく容易に行われる。水平移動は持ち手部１９が使用されて行われる。Ｂは搬送物品であるコピー機であり、通常固定ベルトによりベース体２に固定状態とされている。
【００１１】  階段を上昇移動させる場合は、図２における状態において持ち手１９が持たれて前方に移動され、階段の上り口まで移動された段階で前後方向が反転される。次に、図４に示すように、階段移動用操作部５が延出されるとともに移動用ベルト体１１が開かれ、物品搬送機１を後方に傾斜させ第１のキャスター３で支持する状態とし、さらに、階段移動用ベルト体１１が階段Ｒの各段沿う位置まで移動される。その際、第１のキャスター３のそれぞれが前後方向へのみの移動が可能なように固定取付けされているので、物品搬送機１はグラつくことなく所定の位置に移動される。
【００１２】  階段Ｒ面における搬送は、図５に示すように、上部に延出された階段移動用操作部５が支持操作され、移動用ベルト体１１が階段Ｒの各段の角縁に沿う状態において階段移動用操作部５の作動スイッチ６により電動モータ１３が作動されることで、階段移動用ベルト体１１が各段の角縁に噛む状態で作動変位し、これにより物品搬送機１が階段Ｒに沿って上昇移動、下降移動して行われる。モータ１３は一対の階段移動用ベルト体１１間の下部に取り付けられ、その駆動軸と移動用ベルト体１１内の下部側プーリーとがギヤ連結されて階段移動用ベルト体１１は作動される。階段Ｒ面が水等により濡れていて階段移動用ベルト体１１が滑る際には、階段移動用操作部５により若干傾斜角度を小さくすることで第１のキャスター３が階段Ｒ面に係止し、これにより物品搬送機１の滑り落ちが回避される。その際にも、第１のキャスター３のそれぞれが前後方向へのみの移動が可能なように固定取付けされ安定しているので物品搬送機１はグラつくことがない。上昇移動させて階段Ｒの降り口に着いた際には、上り口の場合とは逆に始めに物品搬送機１を図４に示す第１のキャスター３で支持する状態とし、次に第２のキャスター７それぞれが接地する状態とし、所望の方向に移動させる。
【００１３】  物品載置台９の前縁には、物品の上げ下ろし時に使用されるスロープ板２０が丁番により連結されて折り畳み可能に取り付けられている。スロープ板２０は２枚の板片２０ａ、２０ｂよりなり、それぞれが丁番で連結されスロープ板２０自身も途中で折り畳まれるようになっている。また、物品載置台９の両側縁には、帯状の搬送物品Ｂの保持板２２のそれぞれが溶接により立設されている。
【００１４】  図１、図２は上記スロープ板２０が折り畳まれて物品載置台９の前縁に立設支持される状態を示す。保持板２２それぞれの前端には、図６、図７に示すように、支持部材２４が取り付けられ、スロープ板２０の基部の下面には支持部材２４それぞれに対応する筒状の係止部２６のそれぞれが取り付けられている。支持部材２４は保持板２２の外面に固着される筒部材２５と、筒部材２５内にコイルバネ２７に付勢される状態で嵌入される操作体２８とから構成され、操作体２８先端側が係止ロッド３０となっている。操作体２８はコイルバネ２７により係止ロッド３０が突出するように付勢されており、係止ロッド３０が保持板２２の通孔を通して係止部２６内に係止することでスロープ板２０は立設支持され、コイルバネ２７の付勢力に抗して矢印方向に移動されることで係止ロッド３０が係止部２６内から離脱してスロープ板２０は立設支持が解除される。
【００１５】  物品載置台９は上記のようにスロープ板２０が立設可能であるとともに、両側に保持板２２を備えていることで、搬送物品Ｂはそれらに囲まれる状態で物品載置台９上に載置され、搬送時に衝撃や振動があって搬送物品Ｂが位置ずれする場合も、物品載置台９から落下することが防止される。
【００１６】  図８は搬送物品Ｂを物品載置台９上から上げ下ろす際の状態を示し、スロープ板２０は開かれた状態とされて物品載置台９の前端から床面Ｆに至って配置されている。４０はスロープ板２０の途中を支持する支持片である。このようにスロープ板２０があることでコピー機等の重量のある搬送物品Ｂの上げ下ろしが容易に、かつ、安全に行われる。スロープ板２０はその途中で折れ曲がり部を持って全体長さが大きくなることで、緩やかな傾斜角度において配置され、搬送物品Ｂの上げ下ろしがさらに容易に、かつ、安全に行われる。
【００１７】  スロープ板２０が物品載置台９上に折り畳まれた状態において、図３に示すように、物品載置台９はベース体２に沿うように折り畳まれる。その際には両側の保持板２２それぞれの操作体２８が、ベース体２の両側の枠の上部それぞれに取り付けられた係止部材３２それぞれの係止穴３４に係止することで、その折り畳み状態が維持される。物品搬送機１は、図３に示すように、物品載置台９と階段移動用ベルト体１１がともにベース体２に沿うように折り畳まれ、階段移動用操作部５がベース体２に差し入れられて短縮され、さらに、持ち手１９それぞれが折り畳まれることで、非使用時にはコンパクトな形態となってその取扱いが容易に行われる。
【符号の説明】
【００１８】  １    物品搬送機
２    ベース体
３    第１のキャスター
５    階段移動用操作部
７    第２のキャスター
９    物品載置台
１１    移動用ベルト体
１３    電動モータ（駆動部）
６０    電池（駆動部）
【図１】
0003222277.tif 000003
【図２】
0003222277.tif 000004
【図３】
0003222277.tif 000005
【図４】
0003222277.tif 000006
【図５】
0003222277.tif 000007
【図６】
0003222277.tif 000008
【図７】
0003222277.tif 000009
【図８】
0003222277.tif 000010